(57)【要約】【課題】最適な表示が可能な表示手段を備えたデジタルカメラを提供することを目的とする。【解決手段】撮影時に用いるズームアップダウンスイッチを使用して、メニュー操作時に使用しない、該ズームアップダウンスイッチの操作により、メニュー表示の文字サイズを変更する。すなわち、ズームアップスイッチの操作に応じて文字サイズを拡大し（Ｓ６０、Ａ６２）、ズームダウンスイッチの操作に応じて文字サイズを縮小する（Ｓ６６、Ｓ６８）。そして、変更した文字サイズを不揮発性メモリに記憶する（Ｓ６４）ことにより、デフォルトの文字サイズとする。そして、メニュー表示以外で使用する文字サイズにも変更された文字サイズを適用する。【選択図】　　　　図７
2004023161.tif 000002
【特許請求の範囲】
【請求項１】
撮影画像を表示すると共に、機能設定項目を表す文字情報を表示する表示手段と、
前記表示手段に表示される文字情報の表示サイズを指示する指示手段と、
前記指示手段の指示に応じて、前記表示手段に表示される前記文字情報を含む画像の倍率を設定制御する制御手段と、
を含むデジタルカメラ。
【請求項２】
前記制御手段は、表示された文字情報の前記機能設定項目について、表示内で設定可能な項目が全て含まれる項目のみ選択する選択手段を含むことを特徴とする請求項１に記載のデジタルカメラ。
【請求項３】
前記指示手段は、撮影倍率を指示する倍率指示手段からなり、少なくとも撮影時以外のときに、前記指示手段として機能することを特徴とする請求項１又は請求項２に記載のデジタルカメラ。
【発明の詳細な説明】
【０００１】
【発明の属する技術分野】
本発明は、デジタルカメラにかかり、特に、メニュー画面等を表示する液晶ディスプレイ等の表示手段を備えたデジタルカメラに関する。
【０００２】
【従来の技術】
近年、簡便に撮影可能なＣＣＤ撮像素子などを有した撮影装置として、デジタルカメラが数多く流通している。デジタルカメラは、その撮影時には、レリーズスイッチを操作することをトリガとして、ＣＣＤ撮像素子などで光量に応じた電荷（光電変換）を画素毎に読み取って、画像データに変換した後に、撮影画像を画像データとして磁気記録媒体などの記録媒体に記録している。
【０００３】
撮影から記録までの過程では、撮影コマ毎に、主な処理として、撮影画像のデジタル変換、撮影画像表示のための画像作成、そして撮影画像を記録するための記録処理の各々が行われている。
【０００４】
また、この種のデジタルカメラでは、撮像素子による撮像画像を表示する液晶ディスプレイ等の表示手段を備えており、撮影した画像を表示手段に表示させて直ぐに確認することができる。
【０００５】
また、当該表示手段には、デジタルカメラの各種機能の設定や操作等を行うためのメニュー画面等が表示され、多機能化したデジタルカメラの操作を表示手段の表示に基づいて行うことができる。すなわち、一般的にデジタルカメラの各機能の選択や設定は、表示手段にメニュー画面を表示させて、各種キー操作により機能を選択して設定する。
【０００６】
表示手段の表示方法としては、例えば、特開平１０−１９８５４６号公報に記載の技術などが提案されている。当該技術では、画面内の位置によって基準パルスの分周比を切替可能とすることで、選択されているメニュー項目のみを拡大表示することによって、選択可能な全項目を表示するようにして、視認性を向上している。
【０００７】
【発明が解決しようとする課題】
デジタルカメラが多機能化して、その設定できる機能が増えてくると、従来のデジタルカメラでは、表示する文字サイズを小さくして表示できる項目数等を増やして対応するが、文字サイズが小さすぎると視認性が損なわれるので、複数のページに分けるなどして対応させている。しかしながら、どの文字サイズを好ましい大きさとするかは個人により異なり、デフォルト設定された文字サイズが必ずしも最適とは言えない。
【０００８】
また、特開平１０−１９８５４６号公報に記載の技術では、選択されているメニュー項目のみ拡大表示されるので、その他の項目についての表示サイズは使用する各個人において必ずしも最適とは言えない。
【０００９】
本発明は、上記事実を考慮してなされたもので、最適な表示が可能な表示手段を備えたデジタルカメラを提供することを目的とする。
【００１０】
【課題を解決するための手段】
上記目的を達成するために請求項１に記載の発明は、撮影画像を表示すると共に、機能設定項目を表す文字情報を表示する表示手段と、前記表示手段に表示される文字情報の表示サイズを指示する指示手段と、前記指示手段の指示に応じて、前記表示手段に表示される前記文字情報を含む画像の倍率を設定制御する制御手段と、を含むことを特徴としている。
【００１１】
請求項１に記載の発明によれば、表示手段は、撮影画像を表示すると共に、文字情報が表示される。例えば、撮像デバイス等によって得られる画像データに基づいて、撮影画像を表示し、当該撮影画像に付加される日付、時刻、撮影枚数、撮影条件等の文字情報や、デジタルカメラのメニュー項目等の機能設定項目を表す文字情報を表示する。
【００１２】
ここで、表示手段に表示される文字情報は、指示手段によって、表示手段に表示される文字情報の表示サイズが指示された場合に、該指示手段の指示に応じて、制御手段によって、文字情報を含む画像の倍率（例えば、文字情報の表示サイズ）が設定制御される。例えば、所定サイズのフォントを拡大縮小したり、サイズの異なるフォントを記憶して選択することによって文字情報の表示サイズを変更できる。また、画像として倍率を変更することも可能である。
【００１３】
すなわち、メニュー項目等の文字情報が小さくてみずらい場合や、逆に大きくて全てのメニュー項目が表示できない場合に、指示手段によって表示サイズを変更することができるので、表示サイズを好みのサイズに変更することができる。従って、最適な表示が可能となる。
【００１４】
なお、請求項１に記載の発明は、前記変更手段によって変更された前記表示サイズを記憶する不揮発性メモリを更に含むようにしてもよい。このように、不揮発性メモリを更に含むことによって、変更された表示サイズを記憶することができ、メニュー項目のみならず、その他の撮影画像に付加される文字情報等の表示サイズにも反映することができる。また、不揮発性メモリに変更された表示サイズが記憶されるので、電源が遮断されても、変更された表示サイズが記憶され、常に、最適な表示が可能となる。
【００１５】
なお、請求項１に記載は、請求項２に記載の発明のように、制御手段が、表示された文字情報の機能設定項目について、表示内で設定可能な項目が全て含まれる項目のみ選択する選択手段を含むようにしてもよい。
【００１６】
請求項３に記載の発明は、請求項１又は請求項２に記載の発明において、前記指示手段は、撮影倍率を指示する倍率指示手段からなり、少なくとも撮影時以外のきに、前記指示手段として機能することを特徴としている。
【００１７】
請求項３に記載の発明によれば、請求項１又は請求項２に記載の発明において、指示手段は、撮影倍率、すなわち、ズーム倍率変更を指示する倍率指示手段とを用いることができる。ズーム倍率は、撮影時に指示するので、少なくとも撮影時以外のときに、表示される文字情報の表示サイズを変更する指示手段として機能させることによって、倍率指示手段と兼用することができ、これによって、デジタルカメラのスイッチ類等の部品を削減することができる。
【００１８】
なお、上記発明は、以下の発明とすることができる。すなわち、前記制御手段は、前記指示手段の指示に応じて、前記表示手段に表示しきれる範囲の文字情報を表示するように設定制御することを特徴とする請求項１乃至請求項３の何れか１項に記載のデジタルカメラ。
【００１９】
すなわち、制御手段が、指示手段の指示に応じて、表示サイズを変更する際には、表示しきれないほど拡大する場合等が考えられる。そこで、制御手段は、指示手段の指示に応じて、表示手段に表示しきれる範囲の文字情報のみを表示するように設定制御することによって、文字情報が途切れて表示されることがなくなる。
【００２０】
【発明の実施の形態】
以下、図面を参照して本発明の実施の形態の一例を詳細に説明する。
【００２１】
図１（Ａ）、（Ｂ）に示すように、デジタルカメラ１０の本体１２は略箱型で、正面から見て左側に、本体１２の把持を容易とするための突起（把持部）が形成された形状とされている。本体１２の正面側中央にはレンズ１４が取り付けられており、本体１２のレンズ１４上方には、ユーザが撮影範囲等を目視で確認するための光学ファインダ１６、低照度での撮影等の場合に補助光を発するためのストロボ１８が取り付けられている。
【００２２】
また、ストロボ１８の近傍の位置には、ストロボ発光時に被写体で反射して戻ってきたストロボ光の光量を検出するストロボ受光センサにストロボ光を導くためのストロボ受光窓２０、及び内蔵されたＡＥセンサに光を導くためのＡＥ受光窓２２が備えられている。
【００２３】
本体１２の上面には、正面から見て右側に電源スイッチ２４が、左側（把持部に対応する位置）にシャッタボタン２６が各々設けられており、本体１２の正面から右側側面には、メモリカード（図示省略）を装填可能なスロット３０が設けられている。
【００２４】
また、デジタルカメラ１０の右側側面には、このデジタルカメラ１０の後述するＲＡＭ等のメモリに記録された画像データを外部に送出するためのＵＳＢ（Ｕｎｉｖｅｒｓａｌ　Ｓｅｒｉａｌ　Ｂｕｓ）ケーブルが接続されるＵＳＢ端子３２、及びＲＡＭ等のメモリに記録された画像データを、携帯電話を使用して外部に送信する場合において、携帯電話との接続時に使用される携帯電話用端子３４が備えられている。
【００２５】
更に、携帯電話用端子３４の下方には、交流電源から電源を得るためのＡＣアダプタを接続するＡＣアダプタ接続口３６が設けられており、交流電源をデジタルカメラ１０に供給可能なように構成されている。
【００２６】
また、図１（Ｂ）に示すように、本体１２の背面には、透過型液晶（半透過型液晶でもよい）からなる本発明の表示手段としてのカラーディスプレイ３８が設けられており、カラーディスプレイ３８は、蛍光管やＬＥＤ等によって構成されるバックライトを備えた構成とされている。なお、カラーディスプレイ３８は光学ファインダ１６の機能も有する。
【００２７】
本体１２の背面には、向かって右側に、メニュー（ＭＥＮＵ）スイッチ４０、実行／画面切換（ＥＸ／ＶＩＥＷ　ＣＨＧ）スイッチ４２、選択（ＳＥＬＥＣＴ）スイッチ４４、及びキャンセル（ＣＡＮＣＥＬ）スイッチ４６、ズームアップダウンスイッチ８２、８４が各々設けられており、カラーディスプレイ３８の上方には、モードを切り換えるモード切換スイッチ２８が設けられている。なお、選択スイッチ４４は、メニュースイッチ４０を押下することによって表示されたメニュー画面等のモード等を選択するスイッチであり、その実行は実行／画面切換スイッチ４２で行う。また、キャンセルスイッチ４６は種々のモード等をキャンセルするためのスイッチである。また、モード切換スイッチ２８は撮影モード（動画や静止画）、再生モード等の各種モードを切り換えるためのスイッチである。さらに、ズームアップダウンスイッチ８２、８４は、撮影モードでの操作で、レンズ１４のズームを変更するためのスイッチとして機能し、撮影モード以外では、カラーディスプレイ３８に表示される文字サイズを変更するためのスイッチとして機能し、ズームアップスイッチ（ＵＰ）８２を操作することによって文字サイズを拡大し、ズームダウンスイッチ（ＤＯＷＮ）８４を操作することによって文字サイズを縮小するようになっている。
【００２８】
なお、ズームアップダウンスイッチ８２、８４は本発明の指示手段及び倍率指示手段に相当する。
【００２９】
図２にはデジタルカメラ１０の電気系の構成が示されている。レンズ１４は詳しくはオートフォーカス（ＡＦ）機構を備えたズームレンズ（焦点距離可変レンズ）であり、レンズ１４のＡＦ機構及びズーム機構は駆動回路４８によって駆動される。なお、ズームレンズに代えて、ＡＦ機構のみを備えた焦点距離可変レンズをレンズ１４として用いてもよい。
【００３０】
本体１２の内部におけるレンズ１４の焦点位置に相当する位置には、エリアＣＣＤセンサ等で構成される撮像デバイス５０が配置されており、被写体を反射してレンズ１４に入射された光は撮像デバイス５０の受光面に結像される。撮像デバイス５０は、受光面上にマトリクス状に配列された多数個の光電変換セルの各々における受光量を表すアナログ信号を画像信号として出力する。撮像デバイス５０は、駆動回路４８に接続されているタイミング信号発生部５２によって発生されたタイミング信号に同期したタイミングで駆動されて画像信号を出力する。なお、タイミング信号発生部５２は、静止画撮影と動画撮影に応じてそれぞれ異なるタイミング信号を発生する。
【００３１】
レンズ１４と撮像デバイス５０との間には絞り５４が配置されている。絞り５４は駆動回路４８によって駆動される。絞り５４は、絞り量を連続的に変更可能な単一の絞りで構成してもよいし、絞り量が異なる複数の絞りを切り替える構成としてもよい。
【００３２】
タイミング信号発生部５２には、さらにストロボ１８の発光を制御するストロボ制御回路５６も接続されており、撮影時に低照度であることが検出された場合や、ユーザによって発光が指示された場合にタイミング信号発生部５２によって発生されたタイミング信号に同期したタイミングで発光するように制御される。
【００３３】
撮像デバイス５０の信号出力端には、サンプリング部５８、Ａ／Ｄ変換器６０、信号処理部６２、メモリ６４、及び圧縮／伸張部６６が順に接続されており、それぞれシステムバス６８に接続され、システムバス６８に接続されたシステム制御部７０によって統括的に制御されるようになっている。
【００３４】
サンプリング部５８では、撮像デバイス５０から出力された画像信号を、タイミング信号発生部５２によって発生されたタイミング信号に同期したタイミングでサンプリングすると共に、増幅してＡ／Ｄ変換器６０へ出力する。サンプリング部５８は、図示しないＣＤＳ（Ｃｏｒｒｅｌａｔｅｄ　Ｄｏｕｂｌｅ　Ｓａｍｐｌｉｎｇ：相関二重サンプリング：以下ＣＤＳという）部を含んで構成されている。ＣＤＳ部は、例えば、ＣＣＤ型の撮像素子を用いて、基本的にその素子により生じる各種のノイズをタイミング信号発生部からのタイミング信号によりクランプするクランプ回路と、タイミング信号によりアナログ電圧信号をホールドするサンプルホールド回路を有する。ＣＤＳ部は、ノイズ成分を除去してアナログの出力信号として画像信号をＡ／Ｄ変換部６０に送る。サンプリング部５８から出力された画像信号は、Ａ／Ｄ変換器６０によってデジタルの画像データに変換されて信号処理部６２へ入力される。信号処理部６２では、入力された画像データに対して、静止画撮影及び動画撮影のそれぞれに対応した、色補正・γ補正・Ｙ／Ｃ変換等の各種処理を行う。信号処理部６２から出力された画像データは、ＲＡＭ等で構成されたメモリ６４に一時記憶される。そして、圧縮／伸張部６６で圧縮されてから内蔵メモリ又はスロット３０に装填されたメモリカード７２に記憶されるようになっている。
【００３５】
また、システムバス６８には、カラーディスプレイ３８も接続され、撮影によって得られる画像データに基づく画像の表示が可能とされている。
【００３６】
さらに、システムバス６８には、上述のＵＳＢ端子３２、携帯電話用端子３４、スピーカー７４、マイク７６、及び各種操作スイッチ（ズームアップダウンスイッチ８２、８４、シャッタボタン２６、モード切換スイッチ２８、及びその他の、メニュースイッチ４０、実行／画面切換スイッチ４２、選択スイッチ４４、キャンセルスイッチ４６等のスイッチなど）７８が接続された入出力インターフェース（Ｉ／Ｆ）８０が接続されており、各種操作スイッチ７８の操作に応じた制御がなされるようになっている。
【００３７】
すなわち、シャッタボタン２６が操作された等により、スロット３０に装填されたメモリカードへの画像データの格納が指示された場合、システム制御部７０はメモリ６４に一時記憶されている画像データを読み出して圧縮／伸張部６６へ転送する。これにより、画像データは圧縮／伸張部６６で圧縮された後に内蔵メモリ又はメモリカード７２に格納される。なお、撮影する際のモード等によって画像データが圧縮されることなく内蔵メモリ又はメモリカード７２に格納される場合もある。
【００３８】
また、内蔵メモリ又はスロット３０に装填されたメモリカード７２に格納されている画像データが表す画像の再生（表示）が指示された場合には、内蔵メモリ又はスロット３０に装填されたメモリカード７２から画像データが読み出され、読み出された画像データが圧縮／伸張部６６で伸張（解凍）された後、メモリ６４に一時記憶される。そして、メモリ６４に一時記憶された画像データを用いてカラーディスプレイ３８への画像の表示（再生）が行われる。
【００３９】
次に、カラーディスプレイ３８の制御系について図３を参照して詳細に説明する。
【００４０】
カラーディスプレイ３８は、システム制御部７０によって制御されるが、システム制御部７０は、詳細には図３に示すように、ＣＰＵ８６、ＲＯＭ８８、ＲＡＭ９０、不揮発性メモリ９２、及びＩ／Ｏ９４を含んだマイクロコンピュータで構成されている。なお、システム制御部７０は本発明の制御手段に相当する。
【００４１】
Ｉ／Ｏ９４には、図３では省略するが、図２に示すシステムバス６８に接続されており、当該システムバス６８を介してカラーディスプレイ３８を駆動するためのディスプレイドライバ９６が接続されている。すなわち、ＣＰＵ８６は、デジタルカメラ１０を統括的に制御するようになっており、カラーディスプレイ３８の表示制御も行うようになっている。表示制御としては、例えば、ズームアップダウンスイッチ８２、８４の操作に対応して、カラーディスプレイ３８に表示する文字（メニュー項目、撮影画像周辺に表示する撮影条件、日付、時刻、撮影枚数等）の文字サイズの拡大縮小等を行う。
【００４２】
ＲＯＭ８８には、デジタルカメラ１０の各種機能を実行するためのプログラムやカラーディスプレイ３８に表示するメニュー項目等の文字データ等が記憶されており、ＲＡＭ９０は、撮影によって得られる画像データに対する画像処理やカラーディスプレイ３８に表示する文字情報等に対する画像処理などを行うためのメモリ領域等として使用される。
【００４３】
不揮発性メモリ９２は、例えば、ＥＥＰＲＯＭやバックアップ電源に接続されたＲＡＭからなり、ズームアップダウンスイッチ８２、８４の操作によって設定された文字サイズを保持するようになっている。
【００４４】
続いて、上述のように構成されたデジタルカメラ１０の作用について、図４のフローチャートを参照して説明する。
【００４５】
図４は、図１に示す電源スイッチ２４をオンしたときに起動される‘電源オン’プログラムを示すフローチャートである。なお、オートフォーカス機構、自動露出機能等については省略して説明する。
【００４６】
はじめに、電源スイッチ２４がオンされると、ステップＳ１０では、システムのリセットが行われる。このとき、レンズ１４を保護するレンズバリアを有する場合には、同時にレンズバリアを開放するようにしてもよい。
【００４７】
ステップＳ１２では、現在選択されているモードが撮影モードか否か判定される。該判定が肯定されるとステップＳ１４へ移行して、撮影モードが起動される。
【００４８】
ここで、撮影モードについて図５のフローチャートを参照して説明する。
【００４９】
ステップＳ２０では、撮影モードが起動されると、撮像デバイス５０の撮像によって得られる画像データが表す画像の、カラーディスプレイ３８への表示が行われる。
【００５０】
続いてステップＳ２２では、現在のモードが撮影モードか否か判定される。該判定が否定された場合には、このサブルーチンを抜けて‘電源オン’プログラムのステップＳ１２へ戻る。
【００５１】
ステップＳ２２の判定が肯定された場合には、ステップＳ２４へ移行して、動画撮影か否か判定される。該判定は、モード切換スイッチ２８の状態によって判定される。すなわち、モード切換スイッチ２８がムービーモード（動画撮影）に切り換えられたか否かを判定することによってなされる。
【００５２】
ステップＳ２４の判定が否定、すなわち、静止画撮影である場合には、ステップＳ２６へ移行して、図１（Ｂ）に示す実行／画面切換スイッチ４２がオンされているか否か判定される。該判定が肯定された場合には、ステップＳ２８へ移行して、撮像デバイス５０からの画像表示及び撮影可能枚数などのシステム情報のうち、現在表示されていない方の表示を行う、画像表示の切換が行われ、ステップＳ３０へ移行する。
【００５３】
一方、ステップＳ２６の判定が否定された場合には、そのままステップＳ３０へ移行して、図１（Ａ）に示すシャッタボタン２６がオンされたか否か判定される。該判定が否定された場合には、ステップＳ２２へ戻って上述の処理が繰り返され、ステップＳ３０の判定が肯定された場合には、ステップＳ３２へ移行して、低照度か否か判定される。低照度か否かの判定は図示しないＡＥセンサに入射される入射光量に応じて判定される。なお、ステップＳ３２の判定は、ストロボ１８を発光する指示がユーザになされたか否かによって判定するようにしてもよい。
【００５４】
ステップＳ３２の判定が肯定された場合には、ステップＳ３４へ移行して、ストロボ発光され、ステップＳ３６へ移行する。ステップＳ３２の判定が否定された場合にはそのままステップＳ３６へ移行する。
【００５５】
ステップＳ３６では、画像データがメモリ６４に一時記憶されて、圧縮／伸張部６６で圧縮され内蔵メモリ又はメモリカード７２に記憶される。すなわち、低照度の場合には、撮像デバイス５０による撮像を行うタイミングでストロボ１８を発光されることによって得られる画像データが記憶され、低照度ではない場合には、ストロボ１８を使用しない状態で撮像デバイス５０による撮像を行うことによって得られる画像データが記憶される。
【００５６】
そして、このサブルーチンを抜けて‘電源オン’プログラムのステップＳ１２へ戻る。
【００５７】
一方、ステップＳ２４の判定が肯定、すなわち、動画撮影である場合には、ステップＳ３８へ移行して、画像撮影開始か否か判定される。該判定は、モード切換スイッチ２８が動画撮影の状態でシャッタボタン２６が操作されたか否かによって判定される。すなわち、モード切換スイッチ２８が動画撮影の状態でシャッタボタン２６が操作されることによって動画撮影が開始される。
【００５８】
ステップＳ３８の判定が否定された場合には、ステップＳ２２に戻って上述の処理が繰り返され、ステップＳ３８の判定が肯定された場合には、ステップＳ４０へ移行する。
【００５９】
ステップＳ４０では、撮像デバイス５０の撮像によって得られる画像データをメモリ６４に一時記憶しながら圧縮／伸張部６６で圧縮されて内蔵メモリ又はメモリカード７２に記憶される。これによって動画を表す画像データが記録される。
【００６０】
続いて、ステップＳ４２では、動画撮影終了か否か判定される。該判定はシャッタボタン２６が再度オンされたか否かによって行われ、ステップＳ４２の判定が否定、すなわちシャッタボタン２６が再度オンされていない場合には、ステップＳ４０に戻って動画撮影が続行され、ステップＳ４２の判定が肯定、すなわち、シャッタボタン２６が再度オンされた場合に動画撮影を終了し、このサブルーチンを抜けて‘電源オン’プログラムのステップＳ１２へ戻る。
【００６１】
ここで、図４に示す‘電源オン’プログラムのステップＳ１２へ戻って説明する。
【００６２】
ステップＳ１２の判定が否定、すなわち、モードが撮影モードでないと判定された場合には、ステップＳ１６へ移行して、再生モードが起動される。
【００６３】
次に、再生モードについて図６のフローチャートを参照して説明する。
【００６４】
ステップＳ５０では、現在のモードが再生モードか否か判定される。該判定が否定された場合には、‘電源オン’プログラムのステップＳ１２へ戻る。
【００６５】
ステップＳ５０の判定が肯定された場合には、ステップＳ５２へ移行して、既に記憶済みの画像データの、内蔵メモリ又はメモリカード７２上のアドレスを示すポインタにより、現在指定されているアドレスに記憶された撮影画像がカラーディスプレイ３８に再生表示され、ステップＳ５４へ移行する。
【００６６】
ステップＳ５４では、選択スイッチ４４による再生画像の選択が行われているか否か判定される。該判定が肯定された場合には、ステップＳ５６へ移行して、他の記憶済み画像が再生表示されるようにポインタのインクリメントが行われ、ステップＳ５２へ戻る。
【００６７】
一方、ステップＳ５４の判定が否定された場合には、このサブルーチンを抜けて‘電源オン’プログラムのステップＳ１２へ戻る。
【００６８】
なお、上記再生モードにおいて、動画を再生する場合には、上記ポインタは各種操作スイッチ７８を操作することによって任意に設定できるようにしてもよい。
【００６９】
ところで、本実施の形態に係わるデジタルカメラ１０は、カラーディスプレイ３８に表示される文字サイズを変更することができる。この文字サイズの変更は、撮影モード以外のタイミング、例えば、再生処理中のメニュー表示等を行っている状態等の任意タイミングに、ズームアップダウンスイッチ８２、８４の操作をトリガとして割り込み処理される。
【００７０】
続いて、割り込み処理される文字サイズ変更処理について図７のフローチャートを参照して説明する。
【００７１】
ステップＳ６０では、ズームアップスイッチ８２の操作がなされたか否か判定される。該判定が肯定された場合には、ステップＳ６２へ移行する。
【００７２】
ステップＳ６２では、文字サイズの拡大が行われ、ステップＳ６４へ移行する。例えば、文字サイズの拡大は、基準となる所定サイズのフォントをＲＯＭ８８に記憶しておき、当該所定サイズのフォントに対して拡大するようにしてもよいし、複数サイズのフォントをＲＯＭ８８に記憶し、フォントを選択するようにしてもよいし、文字を画像して捉えて画像の拡大を行うようにしてもよい。なお、文字サイズの拡大は、ズームアップスイッチ８２の操作回数に応じて拡大率を順次拡大することが可能である。また、文字サイズの拡大してカラーディスプレイ３８に表示する際には、カラーディスプレイ３８に表示しきれる範囲の文字情報を表示するようにすることによって、文字が途切れて表示されることがない。
【００７３】
ステップＳ６０の判定が否定された場合には、ステップＳ６６へ移行し、ズームダウンスイッチ８４の操作がなされたか否か判定される。該判定が否定された場合には、割り込み処理される以前の処理にリターンされる。
【００７４】
ステップＳ６６の判定が肯定された場合には、ステップＳ６８へ移行して、文字サイズの縮小が行われて、ステップＳ６４へ移行する。例えば、文字サイズの縮小は、上述の拡大とは逆に、基準となる所定サイズのフォントをＲＯＭ８８に記憶しておき、当該所定サイズのフォントに対して縮小するようにしてもよいし、複数サイズのフォントをＲＯＭ８８に記憶し、フォントを選択するようにしてもよいし、文字を画像として捉えて画像の縮小を行うようにしてもよい。なお、文字サイズの縮小は、ズームダウンスイッチ８４の操作回数に応じて縮小率を順次縮小することが可能である。
【００７５】
ステップＳ６４では、不揮発性メモリ９２に変更された文字サイズが記憶される。すなわち、カラーディスプレイ３８に表示する文字サイズのデフォルトとして変更された文字サイズが不揮発性メモリ９２に記憶される。そして、不揮発性メモリ９２に記憶された文字サイズに応じて、今後行われるカラーディスプレイ３８への表示が行われる。
【００７６】
このように、本発明の実施の形態に係わるデジタルカメラ１０では、文字サイズ変更処理を割り込み処理にて行うことによって、カラーディスプレイ３８に表示される文字を任意のサイズに変更することができ、それぞれ使用者が好みとする最適な文字サイズに変更することができる。
【００７７】
また、変更された文字サイズが、不揮発性メモリ９２に記憶され、変更後はその文字サイズがデフォルトとされ、カラーディスプレイ３８への文字を表示する際には、デフォルトの文字サイズによる表示がなされるので、使用者にとって最適な文字サイズでの表示を常に行うことができる。
【００７８】
なお、本実施の形態では、ズームアップスイッチ操作か否かの判定（ステップＳ６０）を行った後に、ズームダウンスイッチ操作か否かの判定（ステップＳ６６）を行うようにしたが、先にステップＳ６６の処理を行うようにしてもよい。
【００７９】
次に、文字サイズ変更処理による文字サイズの変更について、メニュー画面表示時を例に挙げて説明する。
【００８０】
図１に示すメニュースイッチ４０を操作することによって、図８に示すようなメニュー画面が表示される。例えば、メニュー項目としては、図８に示すように、ストロボ、連写、ＷＢ（ホワイトバランス）、ＡＦ（オートフォーカス）、マクロ、ボイスメモ等の複数の項目が表示される。
【００８１】
ここで、ズームアップスイッチ８２を１回操作毎によって、文字サイズが拡大される。すなわち、ズームアップスイッチ８２を操作するたびに、図８→図９→図１０→図１１のように文字サイズが拡大され、ズームダウンスイッチ８４を操作するたびに、逆に、図１１→図１０→図９→図８のように文字サイズが縮小される。このとき、カラーディスプレイ３８に表示しきれる範囲の項目数が表示され、それ以外は、「次→」を選択操作することによって、表示される。
【００８２】
各項目の選択は、選択スイッチ４４の左キーを操作することによって行い、各項目における詳細項目の選択は、選択スイッチ４４の上下キーを操作することによって行い、「次→」の選択は、選択スイッチ４４の右キーを操作することによって行う。また、各項目の選択決定は実行／画面切換スイッチ４２で行い、取り消しはキャンセルスイッチ４６によって行う。すなわち、図８では、選択スイッチ４４の左右キーを操作することによって、メニュー項目を選択することができ、選択スイッチ４４の上下キーを操作することによって、詳細項目を選択することができる。また、図９では、選択スイッチ４４の左キーを操作することで、メニュー項目がマクロ→ＡＦ→連写→ストロボ→マイクの順に選択項目が移動して全てのメニュー項目を選択でき、選択スイッチ４４の上下キーの操作に応じて選択対象の詳細項目が移動して全ての詳細項目を選択でき、選択スイッチ４４の右キーの操作によって、次の表示しきる範囲のメニュー項目を選択することができる。また、図１０、１１では、図９と同様に、選択スイッチ４４の左キーを操作することで、表示しきれる範囲のメニュー項目を選択でき、選択スイッチ４４の上下キーの操作に応じて選択対象の詳細項目が移動して全ての詳細項目を選択でき、選択スイッチ４４の右キーの操作によって、次の表示しきれる範囲のメニュー項目を選択することができる。なお、選択スイッチ４４の右キー操作を繰り返すことによって、一巡してはじめに表示された、表示しきる範囲のメニュー項目を表示させることが可能である。
【００８３】
このように、文字サイズの選択が行われた後、選択された文字サイズがデフォルトとして、不揮発性メモリ９２に記憶され、メニュー項目以外の文字表示の際に、不揮発性メモリ９２に記憶された文字サイズが適用される。例えば、図１２及び図１３に示すように、撮影画像の表示などのときに撮影画像周辺に表示される付加情報を表す文字について不揮発性メモリ９２に記憶された文字サイズが適用される。すなわち、使用者が最適と判断した文字サイズが常に適用される。なお、図１３は、図１２に対して文字サイズを拡大した例を示す。
【００８４】
なお、シフトキー等をさらに設けて、選択スイッチ４４とシフトキーの組み合わせでメニュー項目の選択や表示しきれる範囲のメニュー項目の選択等を行うようにしてもよいし、当該シフトキーの機能を既存のスイッチ等に割り付けるようにしてもよい。
【００８５】
また、上述のメニュー項目の文字サイズ変更の例では、文字サイズを拡大縮小する例を説明したが、これに限るものではなく、例えば、文字を含む画像として捉えて、画像の拡大縮小を行うようにしてもよい。この場合には、メニュー項目の詳細項目が全て表示されない場合があるが、このときに、全て詳細項目が表示されたメニュー項目のみ選択可能とすることによって、表示できない詳細項目を選択することがなくなる。
【００８６】
【発明の効果】
以上説明したように本発明によれば、表示される文字情報の表示サイズを指示する指示手段と、指示手段の指示に応じて、表示される文字情報を含む画像の倍率を設定制御する制御手段をデジタルカメラに設けることによって、表示される撮影画像に付加される文字情報や、デジタルカメラのメニュー項目等の文字情報を所望のサイズに変更することができるので、最適な表示が可能となる、という効果がある。
【図面の簡単な説明】
【図１】本発明の実施の形態に係わるデジタルカメラの外観を示す斜視図である。
【図２】本発明の実施の形態に係わるデジタルカメラの電気系の構成を示すブロック図である。
【図３】カラーディスプレイの制御系を示すブロック図である。
【図４】本発明の実施の形態に係わるデジタルカメラの動作の流れを示すフローチャートである。
【図５】撮影モードのサブルーチンを示すフローチャートである。
【図６】再生モードのサブルーチンを示すフローチャートである。
【図７】文字サイズ変更の割り込み処理を示すフローチャートである。
【図８】メニュー画面の一例を示す図である。
【図９】図８に示すメニュー画面の文字サイズを拡大した例を示す図である。
【図１０】図９に示すメニュー画面の文字サイズを拡大した例を示す図である。
【図１１】図１０に示すメニュー画面の文字サイズを拡大した例を示す図である。
【図１２】表示される撮影画像周辺の付加情報の一例を示す図である。
【図１３】図１２に示す付加情報の文字サイズを拡大した例を示す図である。
【符号の説明】
１０　　デジタルカメラ
３８　　カラーディスプレイ
８２　　ズームアップスイッチ
８４　　ズームダウンスイッチ
８６　　ＣＰＵ
８８　　ＲＯＭ
９０　　ＲＡＭ
９２　　不揮発性メモリ
【図１】
2004023161.tif 000003
【図２】
2004023161.tif 000004
【図３】
2004023161.tif 000005
【図４】
2004023161.tif 000006
【図５】
2004023161.tif 000007
【図６】
2004023161.tif 000008
【図７】
2004023161.tif 000009
【図８】
2004023161.tif 000010
【図９】
2004023161.tif 000011
【図１０】
2004023161.tif 000012
【図１１】
2004023161.tif 000013
【図１２】
2004023161.tif 000014
【図１３】
2004023161.tif 000015